(57)【要約】      （修正有）【課題】電子媒体を記録し表示する携帯型の装置や電子媒体を音声変換するシステムを有し、電子媒体を見ながら音声変換する装置および音声変換データにマーカーを記録し、オリジナルの電子媒体へ記録したマーカーを反映する装置の重量、厚さに関する携帯性を改善する。【解決手段】電子媒体の記録、読み上げかつマーカー装置部分を分離し、分離した装置から情報を光通信により表示装置へ伝達することで表示装置を軽量、極薄型の携帯型記録および薄型表示装置を提供できる。【選択図】図１
2009020850.tif 000002
【特許請求の範囲】
【請求項１】
コンピュータを、電子媒体をテキスト解析し音声信号生成する手段と、生成した音声信号データを記録する手段と、記録した音声信号データの再生中に任意にマーカーを音声信号データに記録する手段と、マーカーを記録した音声信号データからオリジナルの電子媒体にマーカーを反映する手段と、電子媒体の情報を光通信により表示装置へ伝達、表示する手段として機能させるためのプログラム。
【請求項２】
コンピュータを、電子媒体をテキスト解析し音声信号生成する手段と、生成した音声信号データを記録する手段と、記録した音声信号データの再生中に任意にマーカーを音声信号データに記録する手段と、マーカーを記録した音声信号データからオリジナルの電子媒体にマーカーを反映する手段と、電子媒体の情報を光通信により表示装置へ伝達、表示する手段として機能させるためのプログラムを用いて、電子媒体と音声信号データを記録する手段と、記録した音声信号データの再生中に任意にマーカーを音声信号データに記録する手段と、電子媒体の情報を光通信により表示装置へ伝達する手段とを有し、すべての手段は並列に同時に実行可能である携帯型装置。
【請求項３】
上記請求項の装置を用いて、光通信により電子媒体の情報を受信し、太陽電池により電力を供給し、電力の供給を切っても表示を維持できる電子ペーパーに表示する薄型携帯表示装置。
【発明の詳細な説明】
【技術分野】
【０００１】  本発明は、電子媒体を記録、読み上げかつマーカーが可能で表示装置を軽量、極薄型にすることができる携帯型記録薄型表示システムを提供することにある。
【発明の詳細な説明】
【技術分野】
【０００２】本発明は電子媒体と音声信号データへ後からマーカーを記録するプログラムと、そのプログラムおよび光通信機能を有する携帯型装置および光通信機能を有する薄型携帯表示装置に関するものである
【背景技術】
【０００３】電子媒体を記録し表示する携帯型の装置や電子媒体を音声変換するシステムを有し、電子媒体を見ながら音声変換する装置は使用されていが、長時間所持しながら使用続ける点において電池を含めた表示装置の重量、厚さに関しては携帯性等の課題が生じていた。また、表示部分と音声装置は一体になっており、音声レシーバーで音声を聞くときにケーブルが邪魔になるなど利便性は良いものではなかった。また、長時間所持しながら使用し続けるには、紙のように軽量で薄型であることが望ましく、そのような電子表示装置の開発が求められていた。しかしながら、電子媒体を記録し、それを読み上げる様な装置部分も含めた電子表示装置は重く、薄くするのは限界があった。【０００４】電子媒体の文章等に特に印をつけ目立つようにするマーカーを記録し、オリジナルの電子媒体へ記録したマーカーを反映する装置についても携帯性についでは課題が生じていた。
【発明が解決しようとする課題】
【０００５】電子媒体をテキスト解析し音声信号生成する手段を表示装置から分離し、電子媒体と音声信号データのみを記録し、音声信号データに合わせてマーカーを記録し、可視光通信により表示装置へ伝達する手段のみを搭載する装置と光通信により受信した情報のみを表示する装置で構成することにより、携帯性に優れたシステムとすることが可能になった。特に電子媒体の情報を光通信により表示装置へ伝達することで表示装置は受光部と表示装置のみとすることができ、書き換え時のみ電力が必要となる電子ペーパーを用い、消費電力が受光部として太陽電池を用いることで搭載する電池を最小限にすることができることから軽量、極薄型にすることが可能となった。上記システムにより携帯性に優れた光通信を用いた携帯型装置および薄型表示装置を提供することが可能になった。
【０００６】光通信を用いた携帯型装置に音声信号データに合わせてマーカーを記録し、電子媒体にリンクし反映した電子媒体を可視光通信により表示装置へ伝達することでオリジナルの情報にマーカーを表示することが可能となった。上記システムによりオリジナルの電子媒体へ記録したマーカーを反映する携帯性に優れた光通信を用いた携帯型装置および薄型表示装置を提供することが可能になった。
【発明を実施するための最良の形態】
【０００７】電子媒体と音声信号データを記録する手段と、記録した音声信号データの再生中に任意にマーカーを音声信号データに記録する手段と、音声信号データに記録されたマーカーの記録を電子媒体に反映する手段と、電子媒体の情報を光通信により表示装置へ伝達する手段とを有し、すべての手段は並列に同時に実行可能である携帯型装置（ａ）および光通信により電子媒体の情報を受信し、太陽電池により電力を供給し、電力の供給を切っても表示を維持できる電子ペーパーに表示する薄型携帯表示装置（ｂ）を図１に示す。
携帯型装置（ａ）は、電子データの記録部分、音声信号データを音声化する部分、音声信号データにマーカーを記録処理する部分、音声信号データに記録されたマーカーの記録を電子媒体に反映する部分、表示装置へ伝達する光通信を実行する部分から構成される。電子媒体をテキスト解析し音声信号生成する処理は別のコンピュータで実施しすることで、携帯型装置（ａ）は電子媒体とその音声信号データのみを記録する装置となるため小型軽量化が図られる。また、薄型携帯表示装置（ｂ）は携帯型装置（ａ）からベージ毎に必要になるたびに電子媒体の情報を光通信により送られることから、１ページ分の限られた容量の記録装置部分の搭載であり、書き換え時のみ電力が必要となる電子ペーパーを用い、消費電力が受光部として太陽電池を用いることで搭載する電池を最小限にすることができることから軽量、極薄型にすることが可能である。【０００８】また、音声信号データの再生中に任意にマーカーを音声信号データに記録する手段は、マーカーを始める単語が発音されているときに携帯型装置（ａ）のスイッチを入れるとマーカーの始まりが記録され、マーカーを終了する単語が発音されているときに携帯型装置（ａ）のスイッチを入れるとマーカーの終了が記録される。マーカーの記録の原理は、電子媒体をテキスト解析し音声信号生成したデータを記録するときにマーカーを記録するための記号（ｃ）を単語間にあらかじめ入れた形で音声信号データを作成し、携帯型装置（ａ）に記録する。携帯型装置（ａ）で音声信号データの再生中にマーカー開始を入れるときに携帯型装置（ａ）のスイッチを入れ、その単語の前の記号（ｃ）を記号（ｄ）に変換、マーカー終了の場合はその単語の前の記号（ｃ）を記号（ｅ）に変換、記録する。このときは音声再生中のデータと同期をとりながら行われる。マーカーの記録をマーカーを記録するための記号（ｃ）そのテキスト場所（アドレス）を認識し、マーカーをオリジナルの電子媒体へ反映する。マーカーが反映された電子媒体の情報を画像表示装置へ光通信により送られる。
【図面の簡単な説明】
【０００９】
【図１】本発明の携帯型装置および薄型携帯表示装置
【図２】音声信号データの再生中に任意にマーカーを音声信号データに記録する原理
【図１】
2009020850.tif 000003
【図２】
2009020850.tif 000004